(57)【要約】【課題】  定規や巻き尺等を常に携帯していなくても、地図上の距離の計測、胴回りや首周りの計測を簡単に実現する。【解決手段】  設定キー２３が押され、ジョグダイヤルの操作に応じてメニュー選択等が行われる動作モードから、ジョグダイヤルの回転ダイヤル部２４を用いて測長対象物の長さを測るための動作モードへのモード切り替えの指示がなされた場合において、回転ダイヤル部２４の外周部が測長対象物に接触した状態で、その回転ダイヤル部２４が回転して外周部が測長対象物上を走行した時、携帯電話端末１は、その走行長を求めて表示部１２のディスプレイ上に表示する。【選択図】  図１
2006314018.tif 000002
【特許請求の範囲】
【請求項１】
無線通信を行う無線通信手段と、
情報を表示する画面を備えた表示手段と、
外周部の少なくとも一部が端末筐体壁面から突出した状態に配置された回転操作子を備え、当該回転操作子の回転に応じた信号を発生する回転操作手段と、
上記回転操作手段の回転操作子を利用者が回転操作することによる操作情報入力が行われる第１の動作モードと、上記回転操作手段の回転操作子の外周部が所望の対象物に接触した状態で上記回転操作子が回転した時に当該回転操作子の外周部が上記対象物上を走行した走行長の計測が行われる第２の動作モードとの二つの動作モードのうち、少なくとも上記第２の動作モードを設定するための動作モード設定手段と、
上記動作モード設定手段にて上記第２の動作モードの設定がなされている場合に、上記回転操作子の外周部が上記対象物上を走行した走行長を演算すると共に、少なくとも上記走行長の情報を上記表示手段の画面上に表示させる演算制御手段とを有する
ことを特徴とする携帯通信端末。
【請求項２】
請求項１記載の携帯通信端末であって、
縮尺の情報を取得する縮尺情報取得手段を有し、
上記演算制御手段は、上記回転操作子の外周部が上記対象物上を走行した走行長に、上記縮尺情報取得手段にて取得された縮尺に応じた演算を行い、その演算結果の情報を上記表示手段の画面上に表示させることを特徴とする携帯通信端末。
【請求項３】
請求項１記載の携帯通信端末であって、
上記無線通信手段は、上記走行長の情報を所望の相手先へ送信することを特徴とする携帯通信端末。
【発明の詳細な説明】
【技術分野】
【０００１】
本発明は、例えばいわゆるジョグダイヤル等の回転操作デバイスを備えた携帯電話端末等の携帯通信端末に関する。
【背景技術】
【０００２】
携帯電話端末は、持ち運びが可能であり、基地局からの電波が届く範囲内であれば、好きなときに好きな場所で通話や電子メールの送受信、インターネットへの接続等を行うことができるため、非常に便利な携帯機器として広く普及している。
【０００３】
また近年は、いわゆるジョグダイヤルと呼ばれる操作デバイスを備えた携帯電話端末が販売されている。この携帯電話端末によれば、ユーザは、上記ジョグダイヤルの回転ダイヤル部を回転させる操作を行うことにより、例えばメニュー選択操作や文字入力時の変換候補の選択等のような一連の操作入力を容易に行うことが可能となる。
【０００４】
なお、例えば特開２００１−２０２１８８号の公開特許公報（特許文献１）には、ジョグダイヤルを備えた装置が開示されている。この公報記載の装置によれば、ジョグダイヤルの回転型エンコーダ部が左右いずれかに回転されると、回転検出部がその回転が右回転であるか左回転であるか検出すると共にその回転パルスをエンベデットコントローラに送る。エンベデットコントローラは、回転パルスのカウントの変化量と、ジョグダイヤルが押下されたか否かを監視し、それら変化量或いは押下状態の変化を検出すると、それをＣＰＵへ通知する。これにより、ジョグダイヤルを用いた簡単な操作により、ＣＰＵに所望の処理を実行させることができる。
【０００５】
【特許文献１】特開２００１−２０２１８８号公報（第１３図）
【発明の開示】
【発明が解決しようとする課題】
【０００６】
ところで、従来より、日常生活においては、物の実際の長さを計測したい状況が多々ある。例えば洋服のサイズを決めるためなどの理由により、身体の胴回りや首周りを知りたい場合がある。この場合、通常は、巻き尺（いわゆるメジャー）を使用して、胴回りや首周りを実際に計測することになる。また例えば、地図上でＡ地点からＢ地点までの道なりの距離を知りたい場合がある。このような場合、通常は、定規などの長さを測るための道具を使用して、その地図上でＡ地点からＢ地点までの道なりの長さを実測し、さらに、その実測値に地図の縮尺を掛けて、実際の距離を算出している。
【０００７】
しかしながら、上述した携帯電話端末のようにユーザが常時携帯するものとは違い、上記定規や巻き尺をユーザが常に携帯していることは少ない。したがって、地図上の距離を測りたい状況や胴回りや首周りを図りたい状況になった場合に、ユーザは、直ぐにはそれらの測定を行うことができず、非常に不便である。
【０００８】
本発明は、このような実情に鑑みて提案されたものであり、定規や巻き尺等を常に携帯していなくても、胴回りや首周りの計測、地図上の距離の計測を簡単に実現することを可能にする携帯通信端末を提供することを目的とする。
【課題を解決するための手段】
【０００９】
本発明の携帯通信端末は、無線通信を行う無線通信手段と、情報を表示する画面を備えた表示手段と、外周部の少なくとも一部が端末筐体壁面から突出した状態に配置された回転操作子を備えると共に当該回転操作子の回転に応じた信号を発生する回転操作手段と、回転操作子を利用者が回転操作することによる操作情報入力が行われる第１の動作モードと、回転操作子の外周部が所望の対象物に接触した状態で当該回転操作子の外周部が対象物上を走行した走行長の計測が行われる第２の動作モードとの二つの動作モードのうち、少なくとも第２の動作モードを設定するための動作モード設定手段と、第２の動作モードの設定がなされた場合に、回転操作子の外周部が対象物上を走行した走行長を演算すると共に少なくとも走行長の情報を表示手段の画面上に表示させる演算制御手段とを有することにより、上述した課題を解決する。
【００１０】
すなわち、本発明によれば、第２の動作モードに設定された場合、回転操作手段の回転操作子の外周部が対象物上を走行した走行長を求めて画面上に表示可能となされているため、ユーザは、回転操作子の外周部を所望の対象物に接触させた状態で当該回転操作子の外周部を対象物上で走行させることにより、その対象物の長さ測ることができる。
【発明の効果】
【００１１】
本発明においては、第２の動作モードに設定した上で、回転操作子の外周部を所望の対象物に接触させた状態で当該回転操作子の外周部を対象物上で走行させることにより、当該対象物の長さを測ることができ、したがって、ユーザは、定規や巻き尺等を常に携帯していなくても、胴回りや首周りの計測、地図上の距離の計測を簡単に実現することができる。
【発明を実施するための最良の形態】
【００１２】
以下、図面を参照しながら、本発明の携帯端末の一実施形態について説明する。
【００１３】
なお、本実施形態では、本発明の携帯端末の一例として、携帯電話端末を挙げているが、勿論、ここで説明する内容はあくまで一例であり、本発明はこの例に限定されないことは言うまでもない。
【００１４】
〔携帯電話端末の外観〕
図１には、本発明実施形態の携帯電話端末１の概略的な外観図を示す。
【００１５】
本実施形態の携帯電話端末１は、いわゆる折り畳み型の端末であり、上部筐体１０と下部筐体２０とがヒンジ部１９を介して回転自在に連結されている。
【００１６】
下部筐体２０は、主要な回路構成を内蔵し、また、その筐体上にはキー部２１、マイクロホン２２、ジョグダイヤル２４等が配されている。
【００１７】
キー部２１は、下部筐体２０を構成する各筐体面のうち、本実施形態の携帯電話端末１を折り畳んだときに内側となる筐体面上に設置され、例えば電話番号の入力操作や電子メールの文字入力操作、発信操作、電源のオン／ＯＦＦ操作などの各種操作を行うための複数のキー操作子からなる。当該キー部２１に用意されているキー操作子としては、「０」〜「９」の数字や「あ」〜「ん」，「Ａ」〜「Ｚ」の各文字や「＊」，「＃」の記号等を入力するための各キー（いわゆる１２キー）や、発信操作などを行うためのキー、その他、各種機能を設定するためのキー、本実施形態の携帯電話端末１の動作モードを、ジョグダイヤル２４をユーザが回転操作することによるメニュー選択操作等のような操作情報入力が行われる第１の動作モードから、本発明にかかる第２の動作モードである後述する測長モードに設定する際に操作される設定キー２３などがある。
【００１８】
上記ジョグダイヤル２４は、下部筐体２０の例えば側面部に設置され、回転操作と押下操作が可能な回転ダイヤル部を備えている。特に、上記回転ダイヤル部は、その外周部の少なくとも一部が下部筐体２０の筐体壁面から突出した状態で配置されており、当該回転ダイヤル部の回転操作に応じた操作信号を発生するようになされている。なお、図１の指示符号２４は、実際にはジョグダイヤルの回転ダイヤル部を示しており、以下の説明では、この指示符号２４を当該回転ダイヤル部の指示符号として用いる。本実施形態の携帯電話端末１によれば、当該ジョグダイヤルが設けられているため、ユーザは、例えば、画面上に表示されたメニュー項目の選択操作や文字入力時に画面上に表示されている予測変換候補の選択操作、画面上に表示されたカーソルの移動操作、画面のスクロール操作、音量の調整操作、画像のズーム操作等のような一連の操作入力を容易に行うことが可能である。なお、詳細については後述するが、本実施形態の携帯電話端末１の動作モードが測長モードに設定された場合、当該ジョグダイヤルの回転ダイヤル部２４は、測長対象物に実際に接触した状態で回転する部分となる。
【００１９】
マイクロホン２２は、下部筐体２０の例えば下端（ヒンジ部１９が設けられている端部とは反対側の端部）に設置され、音声を電気信号に変換する。
【００２０】
一方、上部筐体１０には、表示部１２とスピーカ１１、ホイップアンテナ１３、クリアキー１３や文字種変換キー１５等が配置されている。なお、上記ディスプレイ１２及びスピーカ１１、クリアキー１３、文字種変換キー１５は、上部筐体１０を構成する各筐体面のうち、本実施形態の携帯電話端末１を折り畳んだときに内側となる筐体面上に設置されている。
【００２１】
上記クリアキーは、上部筐体１０のヒンジ部１９側端部近傍に設置され、上記キー部２１にて入力された電話番号のクリア指示操作、電子メール編集時における文字のクリア（削除）の指示操作や、本発明にかかる後述する測長モードを終了するための終了指示操作のために用いられる。
【００２２】
文字種変換キー１５は、上部筐体１０のヒンジ部１９側端部近傍に設置され、電子メール編集やアドレス帳編集等の文字入力時における文字種の変換指示操作のために用いられる。この文字種変換キー１５が操作されると、例えば、数字から英文字へ、英文字から仮名文字へ、仮名文字から数字へというように、文字種が切り替えられる。
【００２３】
ホイップアンテナ１３は、上部筐体１０のヒンジ部１９側端部とは反対側の端面に設置されている。
【００２４】
スピーカ１１は、上部筐体１０の上端（ヒンジ部１９側端部とは反対側の端部）に設置され、音声電気信号を可聴音声に変換する。
【００２５】
表示部１２は、例えば液晶ディスプレイ等からなり、ディスプレイ画面上に文字が画像等の各種情報を表示する。
【００２６】
〔携帯電話端末の内部構成〕
図２には、本実施形態の携帯電話端末１の概略的な内部の機能ブロック構成を示す。
【００２７】
この図２において、データラインは、音声データや電子メールデータ、画像データなの各種データを伝送するための伝送ラインである。
【００２８】
制御ラインは、ＣＰＵ（中央処理ユニット）により構成されている制御部３０からの制御データなどの各種制御情報を伝送するための伝送ラインである。
【００２９】
アンテナ３２は、図１のホイップアンテナ１３であり、通信回路３１に接続され、信号電波を送受信するのに用いられる。
【００３０】
通信回路３１は、送受信信号の周波数変換、変調と復調等を行う。
【００３１】
ここで、上記アンテナ３２及び通信回路３１にて受信された通話音声データは音声処理部４２へ送られ、それ以外の受信データは、制御部３０へ送られて処理された後、必要に応じて当該制御部３０から各部へ送られる。なお、通話音声以外の受信データは、パケット通信にかかるデータであり、例えば電子メールデータ、動画像や静止画の画像データ、音声データ、ＨＴＭＬ（Hyper Text Markup Language）データ、プログラムデータ等を挙げることができる。
【００３２】
上記アンテナ３２及び通信回路３１から通話音声データが供給された時の音声処理部４２は、当該通話音声データを復号化し、その復号化後の通話音声データをアナログ音声信号に変換し、そのアナログ音声信号をスピーカ３８へ送る。
【００３３】
スピーカ３８は、図１のスピーカ１１に相当し、増幅器を含み、供給されたアナログ音声信号を増幅した後、その音声信号を可聴音声に変換して外部に出力する。これにより、スピーカ３８からは通話音声が出力されることになる。
【００３４】
マイクロホン３９は、図１のマイクロホン２２に相当し、増幅器を含み、入力音声をアナログ音声信号に変換すると共に増幅し、さらにそのアナログ音声信号を音声処理部４２に送る。
【００３５】
上記マイクロホン３９から通話音声新が供給された時の音声処理部４２は、その通話音声信号をディジタル音声データに変換した後に符号化し、さらにその符号化後の通話音声データを通信回路３１へ送る。これにより、アンテナ３２からは通話音声信号が送信されることになる。
【００３６】
表示部３３は、図１の表示部１２に相当し、例えば液晶ディスプレイ等の表示デバイスと、そのディスプレイの表示駆動回路とを含み、上記ディスプレイ上に画像や文字等を表示する。
【００３７】
画像処理部４３は、内蔵メモリや図示しない外部メモリインターフェースを介して外部メモリから読み出された圧縮符号化されている画像データが供給された時には、その画像データの伸張復号化等の再生処理を行い、その伸張復号後の画像データをデータラインを介して表示部３３へ送る。
【００３８】
キー操作部３４は、図１の下部筐体２０上のキー部２１や上部筐体１０のクリアキー１４、文字種変換キー１５等の各キー操作子と、それら各キー操作子が操作されたときの操作信号を発生する操作信号発生器とからなる。
【００３９】
ジョグダイヤル３５は、図１のジョグダイヤルに相当し、実際にユーザにより操作される回転ダイヤル部２４と、当該回転ダイヤル部２４の回転軸に接続された回転型ロータリーエンコーダと、当該回転型ロータリーエンコーダの回転方向（回転ダイヤル部２４の回転方向）を検出する回転方向検出部と、回転型ロータリーエンコーダからの回転パルスをカウントして回転ダイヤル部２４の回転量を検出する回転量検出部と、回転ダイヤル部２４の押下操作を検出する押下検出スイッチとを備えている。なお、上記回転量検出部が検出する回転量とは、回転ダイヤル部２４が回転した回数、及び、回転ダイヤル部２４が何分の何回転したかを示す量である。上記回転方向検出部により検出された回転方向データ及び上記回転量検出部により検出された回転量データと、押下検出スイッチにより検出された押下操作データは、制御部３０に送られる。
【００４０】
ＲＡＭ（Random Access Memory）３６は、制御部３０が各種のデータ処理を行う際の作業領域として、随時データを格納する。また、ＲＡＭ３６は、いわゆるＮＡＮＤ型フラッシュメモリ（NAND-type flash memory）のような書き換え可能なメモリを含み、送受信された電子メールデータ、ユーザにより設定される電話帳や電子メールアドレスのデータ、ユーザのスケジュールデータ、画像データ、ダウンロードされた画像データや音楽データ、ダウンロードされた着信音データ、文字データや予測変換の候補単語の登録データや予測変換の学習データ、当該携帯電話端末１の現在の動作モード、その他、各種の設定値等を保存することも可能となされている。
【００４１】
ＲＯＭ（Read Only Memory）３７は、ＯＳ（Operating System）、制御部３０が各部を制御するための制御プログラムや各種の初期設定値、フォントデータ、辞書データ、デフォルトの着信音やキー操作音，アラーム音用の各種音データ、電子メールの作成や編集，送受信等を行うための電子メールアプリケーション用のプログラムコード、画像や音声の再生等の様々な処理を行うためのマルチメディアアプリケーション用プログラムコード、電子ゲームアプリケーション用のプログラムコード等の各種アプリケーション用プログラムコード、当該携帯電話端末１の識別情報（ＩＤ）などを記憶している。また、ＲＯＭ３７には、本実施形態にかかる後述する測長モード時の各機能を実現するためのプログラムコードと、上記ジョグダイヤル３５の回転ダイヤル部２４の外周長データと、当該回転ダイヤル部２４の上記回転量に対応した回転パルスカウント値データ、すなわち例えば回転ダイヤル部２４の１回転分に相当する回転量データ、若しくは、回転パルスの１カウント分に相当する回転ダイヤル部２４の回転量データも記憶している。
【００４２】
ＬＥＤ（発光ダイオード）４０は、キー照明用ＬＥＤ、着信ＬＥＤやカメラ撮影時の補助ライト用ＬＥＤ、表示部３３のバックライト用ＬＥＤと、それら各ＬＥＤの駆動回路とからなる。
【００４３】
メール処理部４１は、この携帯電話端末１に設けられている電子メール機能を実現するための処理部である。このメール処理部４１は、電子メールの作成、削除など、電子メールに関する各種の編集を行うようになっている。勿論、この処理は、ＲＯＭ３７に記憶されたプログラムに基づいて実行されると共に、ＲＡＭ３６の電話帳データや電子メールデータと関連して処理されるのは言うまでもない。
【００４４】
制御部３０は、ＣＰＵからなり、ＲＯＭ３７に記憶されているＯＳや各種プログラムに基づいて、携帯電話端末１の制御や各種演算等を行う。
【００４５】
その他、図２には図示を省略しているが、本発明の携帯電話端末１は、バッテリー及びそのバッテリーからの電力を各部に供給するパワーマネージメントＩＣや、外部メモリインターフェース、外部ケーブル用コネクタ、カメラ機能、音楽や動画を再生するマルチメディアプレーヤ機能、赤外線通信機能、近距離無線通信機能、電子財布機能など、一般的な携帯電話端末が備えている各構成要素についても備えている。
【００４６】
〔測長モード時の機能と処理〕
次に、本発明実施形態の携帯電話端末１における測長モード時の機能について説明する。
【００４７】
本実施形態の携帯電話端末１において、当該端末１の動作モードが本発明にかかる測長モードに設定され、その測長モード時に上記ジョグダイヤル３５の回転ダイヤル部２４が測長対象物に実際に接触した状態で回転された場合、制御部３０は、当該ジョグダイヤル３５から供給される回転方向データ及び回転量データと、ＲＯＭ３７から読み出した上記回転ダイヤル部２４の外周長データ及び上記回転ダイヤル部２４の回転量に対応した回転パルスカウント値データ（回転ダイヤル部２４の１回転分に相当する回転量データ、若しくは、回転パルスの１カウント分に相当する回転ダイヤル部２４の回転量データ）とを用いて、上記ジョグダイヤル３５の回転ダイヤル部２４が測長対象物に接触した状態で回転した時の回転量、すなわち言い換えると、回転ダイヤル部２４が回転することにより当該回転ダイヤル部２４の外周部分が上記測長対象物上を走行した長さ（走行長）を算出する。具体的には、制御部３０は、上記回転ダイヤル部２４が測長対象物に接触した状態で回転した時の回転量と、当該回転ダイヤル部２４の外周長とを掛け合わせることによって上記走行長を算出する。そして、制御部３０は、上記走行長を表示部３３のディスプレイ上に表示させる。
【００４８】
図３には、本実施形態の携帯電話端末１において、測長モードの設定と終了が行われる際の制御部３０の処理の流れを示す。
【００４９】
この図３において、制御部３０は、キー操作部３４の何れかのキーが操作されることで割り込み処理が実行されると、ステップＳ１の処理として、その操作されたキーが図１の設定キー２３であるか否か判断し、設定キー２３が押下された時にはステップＳ２へ処理を進める。なお、図３では処理ステップの図示を省略しているが、上記操作されたキーが設定キー２３でなかった場合には、その操作されたキーに対応した処理を実行する。
【００５０】
ステップＳ２の処理に進むと、制御部３０は、ＲＡＭ３６にアクセスして現在の携帯電話端末１の動作モードを認識すると共に、当該携帯電話端末１の動作モードを設定するための設定メニューを表示部３３のディスプレイ上に表示させ、ステップＳ３へ処理を進める。
【００５１】
ステップＳ３の処理に進むと、制御部３０は、例えばジョグダイヤル３５の操作を介してユーザから選択指示の入力がなされることで、上記設定メニューの中から本実施形態にかかる測長モードの設定メニューが選択されたか否か判断する。そして、当該ステップＳ３において、制御部３０は、測長モードの設定メニューが選択されたと判断した場合にはステップＳ５へ処理を進め、一方、測長モード以外の設定メニューが選択されたと判断した場合にはステップＳ４へ処理を進める。
【００５２】
ステップＳ４の処理に進むと、制御部３０は、ステップＳ３で選択された設定メニューに対応する動作モードの設定を行った後、この図３のフローチャートの処理を終了する。
【００５３】
一方、ステップＳ５の処理に進んだ場合、制御部３０は、本実施形態の携帯電話端末１の動作モードを上記測長モードに設定する。
【００５４】
その後、制御部３０は、クリアキー１４（測長モードの終了キー）が押下されたか否か判断し、当該クリアキー１４が押下されていない時には測長モードを維持し、一方、クリアキー１４が押下された時には、測長モードを解除して当該図３のフローチャートの処理を終了し、例えば通常の待ち受けモードに戻る。
【００５５】
次に、図４には、上記図３のステップＳ５にて測長モードに設定された場合の制御部３０の処理の流れを示す。
【００５６】
この図４において、携帯電話端末１の動作モードが測長モードに設定された後、上記ジョグダイヤル３５から回転方向データ及び回転量データの供給が開始されると、制御部３０は、ステップＳ１１の処理として、上記ジョグダイヤル３５から供給されている回転量データから、回転ダイヤル部２４が何回転したか及び何分の何回転したかの回転量を求めると共に、次のステップＳ１２の処理として、その求めた回転量により、回転ダイヤル部２４の外周部分が上記測定対象物上を実際に走行した長さ（走行長）を算出する測長演算を行う。
【００５７】
そして、制御部３０は、ステップＳ１３の処理として、上記ステップＳ１２にて求めた走行長のデータを表示部３３のディスプレイ上に表示させる。
【００５８】
また、制御部３０は、ステップＳ１４の処理として、上記ジョグダイヤル３５から供給される回転方向データにより、回転ダイヤル部２４の回転方向が反転したか否かを判断しており、回転ダイヤル部２４の回転方向が反転した時にはステップＳ１５へ処理を進め、回転ダイヤル部２４の回転方向が反転していない時にはステップＳ１１へ処理を戻す。
【００５９】
ステップＳ１４にて回転方向の反転検出がなされてステップＳ１５の処理に進んだ場合、制御部３０は、測長演算の反転処理を行う。すなわち、当該ステップＳ１５の測長演算反転処理は、上記測長対象物に接触させた状態で回転ダイヤル２４を或る一方向に走行させた後に、当該回転ダイヤル２４を逆戻り方向に走行させたような場合に、上記一方向の走行時に求めた走行長から上記逆戻り方向の走行時の走行長を減算する処理を行うために行われる。具体的には、上記ステップＳ１５にて測長演算反転処理がなされた場合、その後のステップＳ１２において、先に上記一方向の走行時に求めた走行長から、上記逆戻り方向の走行時の走行長を減算する処理が行われる。このステップＳ１５の処理後は、ステップＳ１１へ処理を戻す。勿論、本実施形態の携帯電話端末１においては、上記回転ダイヤル２４の回転方向が反転された場合（逆戻り方向に走行した場合）であっても、上述のような演算反転設定を行わずに、走行長をそのまま加算していくような走行長演算設定も可能である。
【００６０】
なお、図４の説明では、ジョグダイヤル３５からの回転方向データ及び回転量データの供給開始により制御部３０が測長演算を開始する例を挙げたが、例えば、キー操作部３４の所定キーが押下された後、或いは、ジョグダイヤル３４の回転ダイヤル部２４が測長対象物に押し当てられることで押下検出スイッチから押下検出信号が出力された後に、制御部３０が上記ジョグダイヤル３５からの回転方向データ及び回転量データを用いた測長演算動作を開始し、その後、再度所定のキーが押下された時、或いは、回転ダイヤル部２４が測長対象物に押し当てられることで押下検出スイッチから再度押下検出信号が出力された時に、制御部３０がその測長演算動作を終了するようにしても良い。
【００６１】
〔測長データの使用例〕
上述のように、ジョグダイヤル３５の回転ダイヤル部２４により長さが測定される上記測長対象物としては、例えば、家具、人体の胴回りや首周り、腕など、どのような物であっても良い。本実施形態の携帯電話端末１によれば、それら測長対象物の実際の長さを測定することが可能である。
【００６２】
また、本実施形態の携帯電話端末１は、上記測長モードにおいて、例えば地図を測長対象物とし、その地図上での例えばＡ地点からＢ地点までの長さを上述同様にジョグダイヤル３５を用いて測定すると共に、制御部３０が、その地図上での測長データに当該地図の縮尺に応じた所定の演算処理（例えば地図の縮尺が１／３０００の場合、「測長データ×３０００」の演算（乗算））を行うことにより、上記Ａ地点からＢ地点までの実際の距離を求め、その距離のデータをディスプレイ上に表示するようなことも可能となされている。なお、この場合、上記地図の縮尺の情報は、地図上で長さを測定する前に予めキー操作部３４から入力しておいても良く、地図上で長さを測定した後にキー操作部３４から入力しても良い。その他にも、例えば、当該地図に予め２次元バーコード等によりコード化された縮尺データが印刷されており、本実施形態の携帯電話端末１が２次元バーコードリーダを備えているような場合には、上記２次元バーコードにより印刷されている縮尺データを上記２次元バーコードリーダにより読み取っても良いし、上記地図に印刷されている２次元バーコード等のコードが縮尺データを提供する所定サイトのＵＲＬ（Uniform Resource Locator）である場合には、そのコードから上記所定サイトへアクセスして、当該サイトから縮尺データを取得しても良い。
【００６３】
また本実施形態によれば、上記ジョグダイヤル３５により測定した家具の寸法や人体の胴回り、首周り、腕の長さなどの測長データを、例えば所望のショップサーバに送信し、それら測長データに基づいて、家具や衣服のオーダーメードを行うことも可能である。
【００６４】
図５には、測長データを所望のショップサーバに送信してオーダーメードを行う場合のシステム構成例を示す。
【００６５】
この図５に示すシステムは、本実施形態の携帯電話端末５８（１）のユーザが加入している携帯電話システムを運営する通信事業会社の通信網５５と、その携帯電話システムの基地局５７と、その通信事業会社の携帯電話システムに加入している本実施形態の携帯電話端末５８と、当該携帯電話端末５８による通話や電子メール等のデータ通信，加入者情報等を管理する携帯電話システム管理サーバ５６と、回線交換機能やパケット交換機能，ゲートウェイ機能等を備え、他社の携帯電話通信網やインターネット５３との間の接続制御を行うコアネットワークシステム５４とを有して構成されている。
【００６６】
また、インターネット５３には、例えば、携帯電話端末５８から送られてくる測長データに基づいて家具や衣服のオーダーメードを行う各ショップのサーバ５０〜５２が接続可能となされている。
【００６７】
この図５のシステムにおいて、携帯電話端末５８のユーザが例えば衣服のオーダーメードを行うような場合、当該携帯電話端末５８のジョグダイヤル３５により上述のようにして測定されたユーザの胴回りや首周り、腕の長さの測長データと共に、例えば色や柄等、素材、衣服のカテゴリ等のデータが、携帯電話システムとインターネット５３を介して、所望のショップサーバに送信される。上記測長データと色，柄等のデータを受け取ったショップサーバは、それらに基づいて衣服を作成若しくは選択して、別途、携帯電話端末５８のユーザに郵送等する。なお、代金の精算方法等については従来から存在する各種の精算方法を用いれば良い。
【００６８】
〔まとめ〕
以上説明したように、本発明実施形態の携帯電話端末によれば、例えばメニュー選択操作や文字入力時の予測変換候補の選択等のような一連の操作入力を容易に行うための操作デバイスとして元々備えられているジョグダイヤル３５を使用し、測長対象物の長さを測定することが可能となされているため、別途、定規や巻き尺等を携帯していなくても、胴回りや首周りの計測、地図上の距離の計測を簡単に実現することが可能となっている。
【００６９】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【図面の簡単な説明】
【００７０】
【図１】本発明実施形態の携帯電話端末の概略的な外観斜視図である。
【図２】本発明実施形態の携帯電話端末の概略的な内部回路構成を示すブロック図である。
【図３】本実施形態の携帯電話端末において、測長モードの設定と終了が行われる際の制御部の処理の流れを示すフローチャートである。
【図４】本実施形態の携帯電話端末において、測長モードに設定された場合の制御部の処理の流れを示すフローチャートである。
【図５】本実施形態において、測長データを所望のショップサーバに送信してオーダーメードを行う場合のシステム構成例を示す図である。
【符号の説明】
【００７１】
１，５８  携帯電話端末、１０  上部筐体、１１，３８  スピーカ、１２，３３  表示部、１３，３２  ホイップアンテナ、１４  クリアキー（測長モードの終了キー）、１５  文字種変換キー、１９  ヒンジ部、２０  下部筐体、２１  キー部、２２，３９  マイクロホン、２３  測長モードの設定キー、２４  ジョグダイヤルの回転ダイヤル部、３０  制御部、３１  通信回路、３４  キー操作部、３５  ジョグダイヤル、３６  ＲＡＭ、３７  ＲＯＭ、４０  ＬＥＤ、４１  メール処理部、４２  音声処理部、４３  画像処理部、５０〜５２  ショップサーバ、５３  インターネット、５４  コアネットワークシステム、５５  携帯電話システムの通信網、５６  携帯電話システム管理サーバ、５７  基地局
【図１】
2006314018.tif 000003
【図２】
2006314018.tif 000004
【図３】
2006314018.tif 000005
【図４】
2006314018.tif 000006
【図５】
2006314018.tif 000007